(57)【要約】      （修正有）【課題】新聞紙等の紙類を安定的に保持できると共に、積み重ねられた紙類の結束が容易な箱体に組み立て可能な箱用シートを提供する。【解決手段】左右方向に交互に連接され、四角筒状体に組み立てられる一対の長さ面パネル及び一対の幅面パネル２ａ、２ｂと、一対の長さ面パネル１ａ、１ｂ及び一対の幅面パネルの少なくとも１つの下縁から延出し、四角筒状体の下部開口を封止可能な底形成フラップとを備え、紙類を積み重ねて収容可能なトレイ状の箱体に組み立て可能な箱用シートであって、一対の長さ面パネル及び一対の幅面パネルが、上縁から下方に延びる一対の破断容易線１１、１６と、これらの破断容易線の下端部同士を接続する折り曲げ容易線とによって画定され、内面に折り重なるよう折り曲げられる折り込み片１３、１８を有し、一対の長さ面パネル及び一対の幅面パネルの折り込み片以外の少なくとも１つの上縁に切込み１５を有する。【選択図】図１
0003223605.tif 000002
【実用新案登録請求の範囲】
【請求項１】
１枚のシートからなり、
左右方向に交互に連接され、四角筒状体に組み立てられる一対の長さ面パネル及び一対の幅面パネルと、
上記一対の長さ面パネル及び上記一対の幅面パネルの少なくとも１つの下縁から延出し、上記四角筒状体の下部開口を封止可能な底形成フラップと
を備え、紙類を積み重ねて収容可能なトレイ状の箱体に組み立て可能な箱用シートであって、
上記一対の長さ面パネル及び上記一対の幅面パネルが、上縁から下方に延びる一対の破断容易線と、これらの破断容易線の下端部同士を接続する折り曲げ容易線とによって画定され、内面に折り重なるよう折り曲げられる折り込み片を有し、
上記一対の長さ面パネル及び上記一対の幅面パネルの上記折り込み片以外の少なくとも１つの上縁に、上記紙類を結束するための紐を仮止め可能な切込みを有する箱用シート。
【請求項２】
上記一対の長さ面パネルの上記折り込み片を挟んだ両側の上縁にそれぞれ上記切込みが形成される請求項１に記載の箱用シート。
【請求項３】
上記切込みが、上方から下方に縮幅する紐導入部と、この紐導入部の下方に設けられる略円形の第１保持部と、この第１保持部から下方に延びるスリット状の第２保持部とを有する請求項１又は請求項２に記載の箱用シート。
【請求項４】
上記折り込み片の折り曲げによって上記一対の長さ面パネル及び上記一対の幅面パネルに形成される凹部の底部に他の切込みが形成される請求項１、請求項２又は請求項３に記載の箱用シート。
【請求項５】
上記折り込み片が、上記底形成フラップと平行に折り込まれる接続部と、この接続部から連続し、この折り込み片を有する上記長さ面パネル又は上記幅面パネルの内面に折り重ねられる折り重ね部とを有し、
上記折り重ね部が先端側に凸部を有し、
上記底形成フラップが上記凸部が挿入される係止孔を有する請求項１から請求項４のいずれか１項に記載の箱用シート。
【考案の詳細な説明】
【技術分野】
【０００１】
本考案は、箱用シートに関する。
【背景技術】
【０００２】
新聞紙等の紙類を積み重ねて収容するためのケースとして、紙製のシートを組み立ててなるトレイ状の箱体が用いられている。このシートとしては、矩形状の底部パネルと、この底部パネルの側縁から延出する正面パネル、背面パネル及び一対のサイドパネルとを有するものが発案されている（特開２００２−３７２３９号公報参照）。
【０００３】
上記シートは、上記正面パネル及び背面パネルの両側部に舌状差し込み片を有している。また、上記シートは、一対のサイドパネルの両側縁から延出するフラップを有しており、このフラップには上記差し込み片が挿入される差し込み穴が形成されている。上記公報に記載の箱体は、上記正面パネル、背面パネル及び一対のサイドパネルを底部パネルから立ち上げ、上記差し込み片を差し込み穴に挿入することで側壁が形成される。また、この箱体は、上記正面パネル、背面パネル及び一対のサイドパネルの上部に結束用の紐を挿入する紐入れ穴を有している。
【先行技術文献】
【特許文献】
【０００４】
【特許文献１】特開２００２−３７２３９号公報
【考案の概要】
【考案が解決しようとする課題】
【０００５】
上記公報に記載の箱体は、底部パネルから立ち上げられる正面パネル、背面パネル及び一対のサイドパネルによって側壁が形成されており、上記正面パネル、背面パネル及び一対のサイドパネルには、シートの反力によって側壁を展開する方向に力が加わりやすい。また、新聞紙等の紙類を箱体内に積み重ねる場合、この紙類は積み重ね枚数が多くなるに伴って左右方向に崩れるおそれが高くなり、この紙類の崩れは箱体の側壁を展開方向に押す力として作用する。さらに、この箱体では、側壁を展開する方向に力が加えられた際に上記差し込み片が差し込み穴から抜けやすい。加えて、この箱体は、紙類を積み重ねる前に、上記紐入れ穴に結束用の紐を通しておき、さらに積み重ねられた紙類を結束する際に、上記紐入れ穴から結束用の紐を抜き出すことを要し、紙類の結束作業に手間がかかる。
【０００６】
本考案は、このような不都合に鑑みてなされたものであり、新聞紙等の紙類を安定的に保持できると共に、積み重ねられた紙類の結束が容易な箱体に組み立て可能な箱用シートの提供を課題とする。
【課題を解決するための手段】
【０００７】
上記課題を解決するためになされた本考案に係る箱用シートは、１枚のシートからなり、左右方向に交互に連接され、四角筒状体に組み立てられる一対の長さ面パネル及び一対の幅面パネルと、上記一対の長さ面パネル及び上記一対の幅面パネルの少なくとも１つの下縁から延出し、上記四角筒状体の下部開口を封止可能な底形成フラップとを備え、紙類を積み重ねて収容可能なトレイ状の箱体に組み立て可能な箱用シートであって、上記一対の長さ面パネル及び上記一対の幅面パネルが、上縁から下方に延びる一対の破断容易線と、これらの破断容易線の下端部同士を接続する折り曲げ容易線とによって画定され、内面に折り重なるよう折り曲げられる折り込み片を有し、上記一対の長さ面パネル及び上記一対の幅面パネルの上記折り込み片以外の少なくとも１つの上縁に、上記紙類を結束するための紐を仮止め可能な切込みを有する。
【考案の効果】
【０００８】
本考案に係る箱用シートは、新聞紙等の紙類を安定的に保持できると共に、積み重ねられた紙類の結束が容易な箱体に組み立て可能である。
【図面の簡単な説明】
【０００９】
【図１】図１は、本考案の一実施形態に係る箱用シートを示す模式的平面図である。
【図２】図２は、図１の箱用シートを組み立ててなる箱体を示す模式的斜視図である。
【図３】図３は、図２の箱体の切込みに紐を仮止めした紙類収容前の状態を示す模式的斜視図である。
【図４】図４は、図３の箱体の模式的平面図である。
【図５】図５は、図３の箱体に収容された紙類を紐で結束した状態を示す模式的斜視図である。
【図６】図６は、図１の箱用シートの切込みを示す模式的部分拡大図である。
【考案を実施するための形態】
【００１０】
［本考案の実施形態の説明］
最初に本考案の実施態様を列記して説明する。
【００１１】
本考案に係る箱用シートは、１枚のシートからなり、左右方向に交互に連接され、四角筒状体に組み立てられる一対の長さ面パネル及び一対の幅面パネルと、上記一対の長さ面パネル及び上記一対の幅面パネルの少なくとも１つの下縁から延出し、上記四角筒状体の下部開口を封止可能な底形成フラップとを備え、紙類を積み重ねて収容可能なトレイ状の箱体に組み立て可能な箱用シートであって、上記一対の長さ面パネル及び上記一対の幅面パネルが、上縁から下方に延びる一対の破断容易線と、これらの破断容易線の下端部同士を接続する折り曲げ容易線とによって画定され、内面に折り重なるよう折り曲げられる折り込み片を有し、上記一対の長さ面パネル及び上記一対の幅面パネルの上記折り込み片以外の少なくとも１つの上縁に、上記紙類を結束するための紐を仮止め可能な切込みを有する。
【００１２】
当該箱用シートは、折り込み片の折り曲げによって一対の長さ面パネル及び一対の幅面パネルに凹部が形成されるので、紙類を適切に積み重ねつつ箱体内に容易に収容することができる。また、当該箱用シートは、左右方向に交互に連接される一対の長さ面パネル及び一対の幅面パネルが四角筒状体に組み立てられるので、上記一対の長さ面パネル及び上記一対の幅面パネルによって紙類を外側から安定的に支持することができる。従って、当該箱用シートは、箱体内に紙類を安定的に保持することができる。当該箱用シートは、上記一対の長さ面パネル及び上記一対の幅面パネルの少なくとも１つの上縁に形成される切込みに紙類を結束するための紐を仮止めできるので、紙類の結束を容易に行うことができる。
【００１３】
上記一対の長さ面パネルの上記折り込み片を挟んだ両側の上縁にそれぞれ上記切込みが形成されるとよい。このように、上記一対の長さ面パネルの上記折り込み片を挟んだ両側の上縁にそれぞれ上記切込みが形成されることによって、紐の長さを調節しつつ、上記紙類を容易に結束することができる。
【００１４】
上記切込みが、上方から下方に縮幅する紐導入部と、この紐導入部の下方に設けられる略円形の第１保持部と、この第１保持部から下方に延びるスリット状の第２保持部とを有するとよい。このように、上記切込みが、上方から下方に縮幅する紐導入部と、この紐導入部の下方に設けられる略円形の第１保持部と、この第１保持部から下方に延びるスリット状の第２保持部とを有することによって、上記紐を容易かつ適切に仮止めすることができる。
【００１５】
上記折り込み片の折り曲げによって上記一対の長さ面パネル及び上記一対の幅面パネルに形成される凹部の底部に他の切込みが形成されるとよい。このように、上記折り込み片の折り曲げによって上記一対の長さ面パネル及び上記一対の幅面パネルに形成される凹部の底部に他の切込みが形成されることによって、上記紐をより適切に仮止めすることができる。
【００１６】
上記折り込み片が、上記底形成フラップと平行に折り込まれる接続部と、この接続部から連続し、この折り込み片を有する上記長さ面パネル又は上記幅面パネルの内面に折り重ねられる折り重ね部とを有し、上記折り重ね部が先端側に凸部を有し、上記底形成フラップが上記凸部が挿入される係止孔を有するとよい。このように、上記折り込み片が、上記底形成フラップと平行に折り込まれる接続部と、この接続部から連続し、この折り込み片を有する上記長さ面パネル又は上記幅面パネルの内面に折り重ねられる折り重ね部とを有し、上記折り重ね部が先端側に凸部を有し、上記底形成フラップが上記凸部が挿入される係止孔を有することによって、上記箱体の形状を安定させ、この箱体の取扱性を高めることができる。
【００１７】
なお、本考案において、「左右方向」とは、箱用シートを組み立ててなる箱体の想定される一般的な使用態様における水平方向を意味し、「上」とは、想定される一般的な使用態様における上を意味し、「下」とは、想定される一般的な使用態様における下を意味する。「内」とは、箱体における内を意味する。「略円形」とは、厳密な意味での円形に限定されるものではなく、例えば複数の線によって円形に近似させた形状を含む。
【００１８】
［本考案の実施形態の詳細］
以下、適宜図面を参照しつつ、本考案の実施の形態を詳説する。
【００１９】
［箱用シート］
図１の箱用シートは、１枚のシートからなる。当該箱用シートは、紙類を積み重ねて収容可能なトレイ状の箱体に組み立て可能であり、具体的には図２の箱体３０に組み立て可能である。当該箱用シートは、左右方向に交互に連接され、四角筒状体に組み立てられる一対の長さ面パネル１ａ，１ｂ及び一対の幅面パネル２ａ，２ｂと、一対の長さ面パネル１ａ，１ｂの下縁から延出する一対の底外フラップ３ａ，３ｂと、一対の幅面パネル２ａ，２ｂの下縁から延出する一対の底内フラップ４ａ，４ｂとを備える。一対の底外フラップ３ａ，３ｂ及び一対の底内フラップ４ａ，４ｂは、箱体３０の底部を構成する底形成フラップである。また、当該箱用シートは、左右方向の外側に配置される長さ面パネル１ａの幅面パネル２ａと連接される側と反対側の側縁に連接される糊代５を備える。なお、図１において、太い実線はシートを切断して形成される切断線を示し、細い実線はシートの内面を筋押しして形成される罫線を示す。
【００２０】
当該箱用シートは、左右方向の外側に配置される幅面パネル２ｂの長さ面パネル１ｂと連接される側と反対側の内面に糊代５を貼着し、一対の長さ面パネル１ａ，１ｂ及び一対の幅面パネル２ａ，２ｂを四角筒状体に組み立てたうえ、一対の底内フラップ４ａ，４ｂを内側に折り曲げ、さらに一対の底外フラップ３ａ，３ｂを先端同士を付き合わせるように内側に折り曲げることでトレイ状に組み立てられる。幅面パネル２ｂへの糊代５の貼着は、例えば接着剤、ステープラー等を用いて行うことができる。一対の底外フラップ３ａ，３ｂの突き合わせ部分には、例えば封函テープＸが貼着される。
【００２１】
当該箱用シートに用いられるシートとしては、当該箱用シートを組み立ててなる箱体３０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、製造コストが低く、かつ箱体３０への組み立てが容易な段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
（長さ面パネル）
一対の長さ面パネル１ａ，１ｂは、矩形状かつ略同形状に形成されている。長さ面パネル１ａ，１ｂの左右方向長さは幅面パネル２ａ，２ｂの左右方向長さよりも大きい。長さ面パネル１ａ，１ｂの左右方向長さとしては、箱体３０内に収容される紙類の大きさ等に基づいて適宜設定可能であるが、例えば上記紙類が新聞紙である場合、２８ｃｍ以上３５ｃｍ以下程度とすることができる。
【００２３】
長さ面パネル１ａ，１ｂの上下方向長さは幅面パネル２ａ，２ｂの上下方向長さと略等しい。長さ面パネル１ａ，１ｂの上下方向長さとしては、例えば２０ｃｍ以上４０ｃｍ以下程度とすることができる。
【００２４】
一対の長さ面パネル１ａ，１ｂは、上縁から下方に延びる一対の破断容易線１１と、一対の破断容易線１１の下端部同士を接続する第１折り曲げ容易線１２とによって画定され、内面に折り重なるよう折り曲げられる折り込み片１３を有する。図２に示すように、箱体３０において、一対の長さ面パネル１ａ，１ｂには、折り込み片１３の折り曲げによって凹部３１が形成される。
【００２５】
折り込み片１３は、箱体３０に組み立てられた状態で一対の底外フラップ３ａ，３ｂ及び一対の底内フラップ４ａ，４ｂと平行に折り込まれる接続部１３ａと、接続部１３ａから連続し、折り込み片１３を有する長さ面パネル１ａ，１ｂの内面に折り重ねられる折り重ね部１３ｂとを有する。接続部１３ａと折り重ね部１３ｂとの境界線には第２折り曲げ容易線１４が形成されている。換言すると、折り込み片１３は、第１折り曲げ容易線１２と第２折り曲げ容易線１４とによって画定される接続部１３ａと、第２折り曲げ容易線１４を基端とする折り重ね部１３ｂとを有する。折り重ね部１３ｂは、先端側に後述の係止孔２０に挿入可能な凸部１３ｃを有する。
【００２６】
図３及び図４に示すように、一対の長さ面パネル１ａ，１ｂの折り込み片１３以外の上縁には、紙類を結束するための紐Ｓを仮止め可能な切込み１５が形成されている。より詳しくは、一対の長さ面パネル１ａ，１ｂの折り込み片１３を挟んだ両側の上縁にそれぞれ１つの切込み１５が形成されている。これにより、当該箱用シートは、紐Ｓの長さを調節しつつ、上記紙類を容易に結束することができる。詳しく説明すると、当該箱用シートは、図４に示すように、２本の紐ＳをそれぞれＬ字状に折り曲げて箱体３０の底部中央で咬合させ、各紐Ｓを長さ面パネル１ａ，１ｂ側及び幅面パネル２ａ，２ｂ側から引き出し、各紐Ｓの端部を長さ面パネル１ａ，１ｂの上縁に形成される切込み１５に仮止めした状態で使用される。つまり、各紐Ｓを長さ面パネル１ａ，１ｂ側及び幅面パネル２ａ，２ｂ側から引き出し、各紐Ｓの端部を長さ面パネル１ａ，１ｂの上縁に形成される切込み１５に仮止めした状態で箱体３０の底部上に紙類が積み重ねられる。この際、図５に示すように箱体３０内に積み重ねられた紙類Ｐを結束するためには、幅面パネル２ａ，２ｂ側から引き出された紐Ｓの部分の長さは、紙類Ｐを長さ方向に結束できるよう、長さ面パネル１ａ，１ｂ側から引き出された部分の長さよりも大きいことが好ましい。この点、一対の長さ面パネル１ａ，１ｂの上縁に切込み１５が形成されている場合、幅面パネル２ａ，２ｂ側から引き出された部分は幅面パネル２ａ，２ｂの外側を通って長さ面パネル１ａ，１ｂに仮止めされることになるので、幅面パネル２ａ，２ｂ側から引き出された部分の長さは長さ面パネル１ａ，１ｂ側から引き出された部分の長さよりも大きくなりやすい。その結果、当該箱用シートは、紙類Ｐを結束しやすいように紐Ｓの咬合部Ｑの両側の相対長さを自動的に調節でき、紙類Ｐを容易に結束することができる。
【００２７】
図６に示すように、切込み１５は、上方から下方に縮幅する紐導入部１５ａと、紐導入部１５ａの下方に設けられる略円形の第１保持部１５ｂと、第１保持部１５ｂから下方に延びるスリット状の第２保持部１５ｃとを有する。当該箱用シートは、切込み１５が紐導入部１５ａを有することで切込み１５への紐Ｓの挿抜が容易となる。また、当該箱用シートは、切込み１５が第１保持部１５ｂを有することで、この第１保持部１５ｂをガイドとして、切込み１５内で紐Ｓを軸方向に容易に移動させることができる。さらに、当該箱用シートは、切込み１５が第１保持部１５ｂから下方に延びる第２保持部１５ｃを有することで、紐Ｓを所望の位置で容易に仮止めすることができる。従って、当該箱用シートは、紐Ｓを所望の位置で容易かつ確実に仮止めすることができる。
【００２８】
紐導入部１５ａは、切込み１５の基端部に設けられている。換言すると、紐導入部１５ａは、切込み１５の入り口を構成している。紐導入部１５ａの具体的形状としては、例えばＶ字状、円弧状、Ｕ字状等が挙げられ、底部に向けて紐Ｓを誘導しやすいＶ字状が好ましい。
【００２９】
第１保持部１５ｂは、紐導入部１５ａの底部に連続して設けられている。第１保持部１５ｂの平均径としては、紐Ｓの径と同程度とすることができる。例えば、第１保持部１５ｂの平均径の下限としては、２ｍｍが好ましく、３ｍｍがより好ましい。一方、第１保持部１５ｂの平均径の上限としては、７ｍｍが好ましく、５ｍｍがより好ましい。上記平均径が上記下限に満たないと、第１保持部１５ｂ内で紐Ｓを軸方向に移動させ難くなるおそれがある。逆に、上記平均径が上記上限を超えると、第１保持部１５ｂによって紐Ｓをガイドし難くなるおそれがある。
【００３０】
第２保持部１５ｃは、第１保持部１５ｂから連続して下方に延びる切断線によって形成される。第２保持部１５ｃは、第１保持部１５ｂの下端部から鉛直下方に延びていることが好ましい。第２保持部１５ｃの長さとしては、例えば５ｍｍ以上２０ｍｍ以下程度とすることができる。
【００３１】
一対の長さ面パネル１ａ，１ｂは、折り込み片１３の折り曲げによって形成される凹部３１の底部３１ａに他の切込み３２を有する。当該箱用シートは、一対の長さ面パネル１ａ，１ｂ側から引き出された紐Ｓを切込み３２によってガイドし、又は切込み３２に仮止めすることで、箱体３０の底部上での２本の紐Ｓの咬合状態を安定的に保持することができる。凹部３１に形成される切込み３２の具体的形状としては、一対の長さ面パネル１ａ，１ｂの上縁に形成される上述の切込み１５と同様とすることができる。
【００３２】
（幅面パネル）
一対の幅面パネル２ａ，２ｂは、矩形状かつ略同形状に形成されている。一対の幅面パネル２ａ，２ｂの左右方向長さとしては、箱体３０内に収容される紙類の大きさ等に基づいて適宜設定可能であるが、例えば上記紙類が新聞紙である場合、２１ｃｍ以上２８ｃｍ以下程度とすることができる。
【００３３】
一対の幅面パネル２ａ，２ｂは、上縁から下方に延びる一対の破断容易線１６と、一対の破断容易線１６の下端部同士を接続する第１折り曲げ容易線１７とによって画定され、内面に折り重なるよう折り曲げられる折り込み片１８を有する。図２に示すように、箱体３０において、一対の幅面パネル２ａ，２ｂには、折り込み片１８の折り曲げによって凹部３３が形成される。
【００３４】
折り込み片１８は、箱体３０に組み立てられた状態で一対の底外フラップ３ａ，３ｂ及び一対の底内フラップ４ａ，４ｂと平行に折り込まれる接続部１８ａと、接続部１８ａから連続し、折り込み片１８を有する幅面パネル２ａ，２ｂの内面に折り重ねられる折り重ね部１８ｂとを有する。接続部１８ａと折り重ね部１８ｂとの境界線には第２折り曲げ容易線１９が形成されている。折り重ね部１８ｂは、先端側に後述の係止孔２１に挿入可能な凸部１８ｃを有する。
【００３５】
図２に示すように、一対の幅面パネル２ａ，２ｂは、折り込み片１８の折り曲げによって形成される凹部３３の底部３３ａに切込み３４を有する。当該箱用シートは、一対の幅面パネル２ａ，２ｂ側から引き出された紐Ｓを切込み３４によってガイドし、又は切込み３４に仮止めすることで、箱体３０の底部上での２本の紐Ｓの咬合状態を安定的に保持することができる。凹部３３に形成される切込み３４の具体的形状としては、一対の長さ面パネル１ａ，１ｂの上縁に形成される上述の切込み１５と同様とすることができる。
【００３６】
（底外フラップ）
一対の底外フラップ３ａ，３ｂは、矩形状かつ略同一形状に形成されている。底外フラップ３ａ，３ｂの幅は、長さ面パネル１ａ，１ｂの左右方向長さと略同じである。底外フラップ３ａ、３ｂの延出方向長さは、幅面パネル２ａ，２ｂの左右方向長さの略１／２である。
【００３７】
底外フラップ３ａ，３ｂは、長さ面パネル１ａ，１ｂとの境界線を基端として幅方向に延びる係止孔２０を有する。係止孔２０には、長さ面パネル１ａ，１ｂの内面側に折り返された折り込み片１３の凸部１３ｃが挿入される。
【００３８】
（底内フラップ）
一対の底内フラップ４ａ，４ｂは、矩形状かつ略同一形状に形成されている。底内フラップ４ａ，４ｂの幅は、幅面パネル２ａ，２ｂの左右方向長さと略同じである。底内フラップ４ａ，４ｂの延出方向長さは、底外フラップ３ａ，３ｂの延出方向長さと略同じである。
【００３９】
底内フラップ４ａ，４ｂは、幅面パネル２ａ，２ｂとの境界線を基端として幅方向に延びる係止孔２１を有する。係止孔２１には、幅面パネル２ａ，２ｂの内面側に折り返された折り込み片１８の凸部１８ｃが挿入される。
【００４０】
当該箱用シートは、折り込み片１３，１８の凸部１３ｃ，１８ｃが係止孔２０，２１に挿入されることで、箱体３０の形状を安定させ、箱体３０の取扱性を高めることができる。またこの構成によると、当該箱用シートは、箱体３０の凹部３１，３３に形成される切込み３２，３４によって紐Ｓをより容易かつ確実にガイドすることができる。
【００４１】
＜利点＞
当該箱用シートは、折り込み片１３，１８の折り曲げによって一対の長さ面パネル１ａ，１ｂ及び一対の幅面パネル２ａ，２ｂに凹部３１，３３が形成されるので、紙類Ｐを適切に積み重ねつつ箱体３０内に容易に収容することができる。また、当該箱用シートは、左右方向に交互に連接される一対の長さ面パネル１ａ，１ｂ及び一対の幅面パネル２ａ，２ｂが四角筒状体に組み立てられるので、一対の長さ面パネル１ａ，１ｂ及び一対の幅面パネル２ａ，２ｂによって紙類Ｐを外側から安定的に支持することができる。従って、当該箱用シートは、箱体３０内に紙類Ｐを安定的に保持することができる。当該箱用シートは、一対の長さ面パネル１ａ，１ｂの上縁に形成される切込み１５に紐Ｓを仮止めできるので、紙類Ｐの結束を容易に行うことができる。
【００４２】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４３】
例えば上記箱体の底部は、一対の長さ面パネルの下縁から延出する一対の底外フラップ及び一対の幅面パネルの下縁から延出する一対の底内フラップによって組み立てられる構成に限定されない。当該箱用シートは、例えば上記一対の長さ面パネル及び上記一対の幅面パネルの少なくとも１つの下縁から底形成フラップが延出し、この底形成フラップが四角筒状体の下部開口を封止することで箱体の底部を形成できればよい。
【００４４】
当該箱用シートは、一対の長さ面パネルの上縁の切込みに替えて一対の幅面パネルの上縁に上記切込みが形成されていてもよく、上記一対の長さ面パネル及び上記一対の幅面パネルの両方の上縁に上記切込みが形成されていてもよい。また、上記切込みは、一対の長さ面パネルの上縁に形成される場合でも、折り込み片を挟んで対置される一方の上縁にのみ形成されてもよい。
【００４５】
上記切込みは、上方から下方に縮幅する紐導入部と、この紐導入部の下方に設けられる略円形の第１保持部と、この第１保持部から下方に延びるスリット状の第２保持部とを有する構成に限定されない。上記切込みは、例えば全体が１本のスリット状であってもよい。
【００４６】
当該箱用シートは、必ずしも箱体の凹部に上述の切込みが形成されていなくてもよい。また、この凹部に切込みが形成される場合でも、凹部に形成される切込みと上記一対の長さ面パネル及び上記一対の幅面パネルの上縁に形成される切込みとは形状が同じでなくてもよい。
【００４７】
上記折り込み片は、必ずしも上述の接続部と折り重ね部とを有していなくてもよい。また、この折り込み片は、先端側に凸部を有しないものであってもよい。この場合、上述の底形成フラップには、上記凸部が挿入される係止孔を有しなくてもよい。
【００４８】
上記箱体において紙類の結束に用いる紐の本数は特に限定されるものではない。
【産業上の利用可能性】
【００４９】
以上のように、本考案に係る箱用シートは、新聞紙等の紙類を積み重ねて保管するのに適している。
【符号の説明】
【００５０】
１ａ，１ｂ  長さ面パネル
２ａ，２ｂ  幅面パネル
３ａ，３ｂ  底外フラップ
４ａ，４ｂ  底内フラップ
５  糊代
１１，１６  破断容易線
１２，１７  第１折り曲げ容易線
１３，１８  折り込み片
１３ａ，１８ａ  接続部
１３ｂ，１８ｂ  折り重ね部
１３ｃ，１８ｃ  凸部
１４，１９  第２折り曲げ容易線
１５，３２，３４  切込み
１５ａ  紐導入部
１５ｂ  第１保持部
１５ｃ  第２保持部
２０，２１  係止孔
３０  箱体
３１，３３  凹部
３１ａ，３３ａ  底部
Ｐ  紙類
Ｑ  咬合部
Ｓ  紐
Ｘ  封函テープ
【図１】
0003223605.tif 000003
【図２】
0003223605.tif 000004
【図３】
0003223605.tif 000005
【図４】
0003223605.tif 000006
【図５】
0003223605.tif 000007
【図６】
0003223605.tif 000008